(57)【要約】たばこ産業の被覆テープ、特にシガレット連続体制造機のシガレット被覆紙テープ（21）上に、印刷標識を塗布（印字）するための印刷機構（23）を記載する。印刷機構（23）は、フォーマットあるいは印刷像を変更する際、迅速に交換可能である。このことは、固定装置（86）を備えることにより達成され、それにより、予め組み付けられたローラ（45，46，47）が、一緒に機械に固定可能であり、かつこの機械から取り外し可能である。記載の印刷機構（23）により、新しい印刷ローラ（45，46）および／または対抗印刷ローラ（47）は機械から迅速に取り外せ、かつ予め組み付けられたローラを備えた新しい印刷機構と交換することができる。
2004530582.tif 000002
【特許請求の範囲】
【請求項１】
少なくとも対抗印刷ローラと接触状態にある印刷ローラを備えた、たばこ加工産業の被覆テープ、特にシガレット連続体製造機のシガレット被覆紙テープ上に印刷標識を塗布するための印刷機構において、
固定装置（８６）を備え、それにより予め組み付けられたローラ（４５，４６，４７）が、一緒に機械（８７）に固定可能であり、かつこの機械から取り外し可能であることをことを特徴とする印刷機構。
【請求項２】
印刷ローラ（４５，４６）と対抗印刷ローラ（４７）が、機械（８７）に取外し可能に固定されている軸受けホルダ（５１）に支承されており、この軸受けホルダと共にこれらのローラが機械から取り外し可能でかつ機械に取り付け可能なユニットを形成していることを特徴とする請求項１記載の印刷機構。
【請求項３】
軸受ホルダが二つの軸受け板（５２，５３）を備え、これらの軸受け板の間に印刷ローラ（４５，４６）が設けられていることを特徴とする請求項２記載の印刷機構。
【請求項４】
対抗印刷ローラ（４７）が軸（７９）上で自在に回転可能に支承されており、かつ印刷ローラ（４５，４６）が電動モータによる駆動部（４８，４９）により駆動可能に構成されていることを特徴とする請求項１〜３のいずれか一つに記載の印刷機構。
【請求項５】
固定装置（８６）が軸受ホルダ（５１）と機械的に結合状態にあり、かつ端部で機械（８７）に固定可能に構成されていることを特徴とする請求項１〜４のいずれか一つに記載の印刷機構。
【請求項６】
固定装置が、軸受ホルダ（５１）を担持しているボルトを（８８）備えており、このボルトが端部（８８ａ）で機械壁部（８７）にねじ固定可能に構成されていることを特徴とする請求項５記載の印刷機構。
【請求項７】
ボルト（８８）がその一方の端部（８８b）で、軸受ホルダ（５１）を取外すかあるいは取付けるためのレバー（９２）を備えていることを特徴とする請求項６記載の印刷機構。
【請求項８】
ボルト（８８）が軸受板（５２，５３）の孔（８９）を経て案内されていることを特徴とする請求項６あるいは７記載の印刷機構。
【請求項９】
駆動部（４８，４９）と印刷ローラ（４５，４６）との間に、位置決めされた連結部（５８，５９）が新しい予め組み付けられた印刷ローラ／対抗印刷ローラユニットを取付けた後、印刷ローラが所定の回転角度位置を機械内部で占めるように設けられていることを特徴とする請求項１〜８のいずれか一つに記載の印刷機構。
【請求項１０】
印刷ローラ（４５，４６）に対して、対抗印刷ローラ（４７）の状態を僅かに調節するための調節装置（７１，７２）が設けられていることを特徴とする請求項１〜９のいずれか一つに記載の印刷機構。
【請求項１１】
一つあるいはそれより多くの締付けボルトを有している調整装置が設けられていることを特徴とする請求項１０記載の印刷機構。
【請求項１２】
僅かな調整運動を可能にするための、対抗印刷ローラ４７の軸７９のための弾性的に可撓性の軸受要素を備えていることを特徴とする請求項１０および／または１１に記載の印刷機構。
【請求項１３】
二つあるいはそれより多くの印刷ローラ（４５，４６）が対抗印刷ローラ（４７）に所属していることを特徴とする請求項１〜１２のいずれか一つに記載の印刷機構。
【請求項１４】
印刷ローラ（４５）のための電動駆動モータ（４８）と、駆動モータの制御パルスを発生させるための制御装置（２０１）とが、印刷ローラの回転速度が印刷する前および／または後で、印刷の際の速度と異なるように設けられていることを特徴とする、少なくとも一つの印刷ローラと一つの対抗印刷ローラとを備えた、請求項１〜１３のいずれか一つに記載の印刷機構。
【請求項１５】
印刷されるべき対象が、印刷ローラと対抗印刷ローラの間を走る、連続的に運動しているテープ材料（２１）であり、かつこのテープ材料と印刷ローラが印刷の際に同期した状態にあり、印刷の前および／または後で異なる速度を備えていることを特徴とする請求項１４記載の印刷機構。
【請求項１６】
二つあるいはそれより多くの印刷ローラが対抗印刷ローラと接触状態にあることを特徴とする請求項１４および／または１５に記載の印刷機構。
【請求項１７】
印刷ローラを駆動するためのステッピングモータ（４８）と、ステッピングモータ用の制御パルスを発生させるための制御装置（２０１）を備え、この制御装置の制御パルスが、第一の所定の一定周波数を有するテープ材料（２１）と同期した印刷ローラの運動のための、一つの印刷過程の間に、および第二の周波数を有する前記の運動と異なる運動のための、二つの印刷過程の間に、ステッピングモータに供給されるように構成されていることを特徴とする請求項１４〜１６のいずれか一つに記載の印刷機構。
【請求項１８】
制御パルスの所定の周波数を保管するための制御装置のための記憶装置（２０２）を備えていることを特徴とする請求項１７記載の印刷機構。
【請求項１９】
たばこ加工産業の被覆テープ上に印刷標識を周期的に塗布するための方法であって、以下の方法工程、すなわち、
印刷ローラの作動領域内に第一の速度により被覆テープを供給すること、
第二の速度により印刷ローラを回転させること、
印刷ローラにより被覆テープ上へ印刷標識を塗布することの方法工程から成る方法において、
印刷標識を被覆テープ上に塗布する間は、第一と第二の速度をほぼ同じにすること、かつ
印刷標識を被覆テープ上に塗布しない間は、第一と第二の速度を少なくとも一時的に等しくしないことを特徴とする方法。
【請求項２０】
印刷ローラの周速度を周期的に変えることを特徴とする請求項１９記載の方法。
【請求項２１】
印刷ローラの周速度を、制御パルスが交番する周波数を有する駆動されるステッピングモータを制御することによって変えることを特徴とする請求項２０記載の方法。
【請求項２２】
周波数を記憶された特性曲線に応じて変えることを特徴とする請求項２１記載の方法。
【請求項２３】
周波数を被覆テープの移送速度によって付加的に決定することを特徴とする請求項２２記載の方法。
【発明の詳細な説明】
【技術分野】
【０００１】
本発明は、たばこ加工産業の被覆テープ、特にシガレット連続体製造機のシガレット被覆紙テープ上に印刷標識を塗布するための、少なくとも対抗印刷ローラと接触状態にある印刷ローラを備えた印刷機構に関する。
【背景技術】
【０００２】
たばこ加工産業の被覆テープ上に、例えばシガレット被覆紙テープ上に、連続的に加工するいわゆる連続体製造機において、シガレット、シガリロ、葉巻、フィルタロッド等のような棒状の物品を連続的方法で製造し、印刷標識（印刷像）−例えばシガレット標識は製造業者の名前かあるいはその他の標識事項である−が附される。この連続体製造機は対応して形成された印刷機構を含んでおり、この印刷機構においては少なくとも一つの駆動される印刷ローラが対抗印刷ローラと接触状態にあり、その際これらの印刷ローラ間で印刷されるべきテープ材料が通されている。少なくとも印刷時点では、印刷ローラは連続的に運動しているテープと同期した状態にある。
【０００３】
いわゆる二連続体製造機に関する印刷機構は、英国特許第３２７２０６号明細書によって公知となっており、この場合シガレット被覆紙テープが二つの印刷標識をその都度印刷ローラから受け取る。二つの印刷ローラは対抗印刷ローラと接触しており、その際シガレット被覆紙テープは印刷ローラと対抗印刷ローラの間を案内されている。
【発明の開示】
【発明が解決しようとする課題】
【０００４】
本発明の基礎となる課題は、前述の方式の印刷機構が迅速に交換可能であるということにあるので、例えば標識の変更がある場合、新しい印刷ローラに関わる、面倒な組立て工程や調整工程は一切行なわれない。課題の一部は、印刷部分の長さが変更されるシガレットの長さに迅速に適合できることにある。
【課題を解決するための手段】
【０００５】
本発明によれば、このことは固定装置によって達成され、この固定装置により、予め組み付けられた印刷ローラは機械に共通に固定可能でありかつ機械から外すことも可能である。
【０００６】
本発明による特に有利な形態は、印刷ローラと対抗印刷ローラが機械に取り外し可能に固定されている軸受ホルダに支承されていることにあり、この軸受ホルダと共に、本発明の有利な形態は機械から取り外し可能でかつ機械に取り付け可能なユニットを形成している。その際本発明によれば、軸受ホルダは二つの軸受板を備え、これら軸受板の間に、印刷ローラと必要によっては対抗印刷ローラが設けられている。本発明の前述の形態により、印刷機構は総じてハンドルを用いて実際機械から取り外しができ、かつ新しい印刷機構を取り付けることができる。
【０００７】
本発明のその他の形態では、対抗印刷ローラが軸上で自在に回転可能に支承されており、印刷ローラは電動モータによる駆動部により駆動可能である。固定装置は軸受ホルダと機械的に結合状態にあり、かつ一方の端部で機械に固定されている。
【０００８】
その際、固定装置は軸受ホルダを担持しているボルトを備えており、このボルトが端部で機械壁部にねじ固定可能である。本発明によれば、ボルトがそのもう一方の端部で、軸受ホルダを取外すかあるいは取り付けるためのレバーを備えている。この場合ボルトは軸受板の孔を経て案内されている。
【０００９】
機械から印刷機構を取外した後、サイズあるいは標識を変更するために、および予め組み付けられた印刷ローラと対抗印刷ローラとを備えた新しい印刷機構を機械に取り付けるために、印刷ローラは機械に対して所定の回転角度位置を有する必要がある。本発明のその他の形態によれば、機構部と印刷ローラの間に位置決めされた連結部は、新しい予め組み付けられた印刷ローラ／対抗印刷ローラユニットを取り付けた後、印刷ローラが所定の回転角度位置を機械内部で占めるように設けられている。
【００１０】
最適な印字品質を保持するために、印刷ローラと対抗印刷ローラは、所定の場所に互いに固定されていなければならない。このために、本発明によれば印刷ローラに対して、対抗印刷ローラの軸受の状態を僅かに調節するための調節装置が設けられている。この際調節装置は一つあるいはそれより多くの締付けボルトを備えている。調節により弾性的に可撓塑性の軸受要素、例えばゴムのブッシュを支持している。
【００１１】
本発明は特に二つの印刷ローラが対抗印刷ローラによってその間に送られるテープ材料と接触状態にある印刷機構に適している。なぜならこの場合、予め組み付けができること、言い換えれば組立て部の移動および機械の調整が無くなることが格別有利であるからである。
【００１２】
印刷標識および／または印刷される部分の長さが変更になる場合、印刷機構の対応は、予め組み付けられた新しい印刷ローラを備えた印刷機構との単純な交換によって行なわれる。
【００１３】
本発明の特に、独自の創意に富んだランクが得られる有利な他の形態は、印刷ローラのための電動モータと駆動モータ用の制御パルスを発生させるための制御装置とが、印刷ローラの回転速度が印刷工程の間、印刷の際の速度と異なるように設けられていることを特徴とする。この印刷機構によって、伝動装置のギヤ比を変えないで、連続的に運動するテープ材料上に印刷される部分の長さを迅速にかつ簡単に変更することができる。さらに本発明の他の形態は、特に二つかあるいはそれより多くの、対抗印刷ローラと接触状態にある印刷ローラを備えた印刷機構に適している。運動形態が異なって作動する印刷機構の特に適した実施形態は、印刷機構を駆動するためのステッピングモータと、ステッピングモータ用の制御パルスを発生させるための制御装置とを備え、この制御装置の制御パルスが、一定の周波数を有するテープ材料と同期した、印刷ローラ上の印刷要素の運動のための印刷過程の領域内で、および異なる周波数を有する、前記の運動と異なる運動のための二つの印刷過程の間の領域内で、ステッピングモータに印加されることを特徴とする。
【００１４】
この際、二つの印刷過程間における制御パルスの外れている周波数を変えるための制御装置用の調整装置が設けられている。この制御装置は所定の周波数の変化が記憶されている記憶部を備えている。
【００１５】
個々の印刷ローラに対して印刷インクを供給するための供給装置の間の中間空域には、印刷ローラへの印刷インクの広がりがもう一方の印刷ローラに達するのを防ぐパーテーションが設けられている。
【００１６】
本発明は一連のシガレット製造機の際の利用においてだけでなく、二つのたばこ連続体を形成しかつさらにシガレットの処理を行う、いわゆる二連のシガレット製造機の際の利用にも適している。
【発明の効果】
【００１７】
本発明の効果は以下の通りである。
【００１８】
例えば標識を変える場合、この場合新しい印刷像を備えた新しい印刷標識をシガレット被覆紙テープ上に印字する場合に、印刷機構の交換はほんのわずかな作業でやり遂げられており、そのわずかな作業でレバーを用いてボルトを外し、軸受けホルダを取り外しかつ、簡単にスライドして相当するボルトを用いて固定する他の予め組み付けられた軸受ホルダと取り替える。正しい位置決めを取付け位置で決められた連結部によって達成する。このように取外した後、もし必要ならば、生産中止が生じることなく、印刷ローラと場合によっては対抗印刷ローラを、新しい印刷機構を備えた作動している機械の外側で交換しかつ調整する。印刷ローラと対抗印刷ローラの相互の位置を補正することは、調整装置によってもまったくできない。
【００１９】
印刷ローラを、周速度が周期的に変わるように不一様に駆動する場合、例えばシガレットの長さを変えねばならない場合には、テープ材料上の印刷される部分の長さの変更を迅速に行なうことができる。
【００２０】
本発明を実施例に基づき詳しく説明する。
【発明を実施するための最良の形態】
【００２１】
【実施例】
【００２２】
図１にシガレット産業において公知の、出願人のプロトス型のシガレット連続体製造機を示す。予備分配機構２にスルイス１からたばこ繊維を少量ずつ供給する。この予備分配機構２の取出し印刷ローラ３は制御の下に予貯蔵容器４にたばこを補充する。この予貯蔵容器から急傾斜コンベヤ５がたばこを取り、制御の下に堰き止めゲート６を装填する。この堰き止めゲート６からスパイクド印刷ローラ７が均一なたばこ流を取去り、このたばこ流は叩出し印刷ローラ８によりこのスパイクド印刷ローラ７のスパイクから叩出され、一定の速度で回動している散布クロス９上に散布される。この散布クロス９上に形成されたたばこフリースは本質的にエアカーテンから成るふるい装置１１内に放擲され、比較的大きな、即ち比較的重いたばこ粒子はこのふるい装置を通過し、一方他の全てのたばこ粒子は空気によりスパイクド印刷ローラ１２と壁部１３とによって形成されているホッパー１４内に転向される。たばこ繊維はスパイクド印刷ローラ１２から連続体コンベヤベルト１７の方向でたばこ路１６内に放擲され、たばこは負圧室１８内に吸引される空気によりこの連続体コンベヤベルトに保持され、たばこ繊維連続体はシャワー状に振りかけられる。トリマ１９はこのたばこ繊維連続体から過剰のたばこを取去り、次いでこの過剰たばこは並流で案内されているシガレット被覆紙テープ２１上に置かれる。このシガレット被覆紙テープ２１はボビン２２から引出され、印刷機構２３を経て案内され、駆動されているガーニチュアベルト２４の上に置かれる。このガーニチュアベルト２４はたばこ連続体とシガレット被覆紙テープ２１とをガーニチュア２６を経て移送し、このガーニチュア内でシガレット被覆紙テープ２１はたばこ連続体を中心としてこの周囲に巻かれ、この時このシガレット被覆紙テープの縁部が未だ突出しており、この縁部は図示していない糊付け装置により公知の方法で糊付けされる。その後、糊付け継ぎ目が閉じられ、タンデム継ぎ目板２７により乾燥される。このようにして形成されたシガレット連続体２８は、トリマ１９を制御する連続体密度測定装置２９を通過し、裁断装置３１により二本分のシガレット３２に裁断される。これらの二本分のシガレット３２は、制御の下作動するアーム３３を備えている引渡し装置３４からフィルタ装着機３７の引取りドラム３６に引渡され、このフィルタ装着機の裁断ドラム３８上でこれらのシガレット連続体はサーキュラーカッタにより単個のシガレットに裁断される。
【００２３】
コンベヤベルト３９，４１は過剰のたばこを予貯蔵容器４の下方に設けられている容器４２内に移送し、逆送されて来たたばこがこの容器から急傾斜コンベヤ５により再び取去られる。
【００２４】
図２と３に、二本の回転する印刷ローラ４５，４６と一本の対抗印刷ローラ４７を備えた印刷機構２３を示す。印刷ローラ４５，４６は共に対抗印刷ローラ４７と接触しており、その際テープ材料はシガレット被覆紙テープ２１の形で印刷ローラの間を連続的に案内されている。印刷ローラは、図示していない供給装置から、印刷するべき材料、例えば液体染料のようなインクを隆起部９８あるいは凹部に受け取り、そのインクを印刷標識の形でシガレット被覆紙テープ２１に転写する。この印刷標識の場合、タバコの標識、会社の標識あるいはそれ以外の名称標識の印刷像である。機械駆動かあるいは専用電動モータ４８，４９によってシガレット被覆紙テープ２１と同期して駆動される印刷ローラ４５あるいは４６は、実際は二つの軸受あるいは取り付け板５２，５３から成る軸受フレーム５１内で支承されており、これらの取り付け板はボルト５４を介して間隔をおいて支持されている。電動モータは、制御部２０１により制御されており、この制御部は記憶部２０２とメイン機械制御部２００と別途後で述べる方法で協働する。
【００２５】
図３では手前の取り付け板５２が省略されている。印刷ローラ４５，４６のシャフト５６と電動モータ４８あるいは４９（図示していない）は、一定に調節された状態で形状一体的な連結部５８，５９を介して、印刷ローラ４５，４６が機械に固定された電動モータ４８あるいは４９のシャフトによって軸方向に取り外し可能であるように、相互に連結している。摺動させて再び取り付けた際、印刷ローラを、シガレット連続体製造装置に抗した所定の位置に再度設ける。前記様式の連結部としては、ドイツ国、６３９１１クリンゲンベルク、アレキサンダー・ヴィーゲンドシュトラーセ８在、Ｒ＋ＷアントリープスエレメンテＧmｂＨ社製造に関わる、型式ＢＫ５／ＢＫ６が適している。
【００２６】
図２では印刷ローラ４６と電動モータ４９が省略されている。調整ネジ６１，６２を介して、バネ６４の作用に抗して、ある程度の範囲で軸方向に印刷ローラ４５，４６の位置をずらすことができる。
【００２７】
対抗印刷ローラ４７は軸７９上で自在に回転可能に支承されているので、テープ材料２１によって連動される。
【００２８】
軸７９ははっきりとはわからないがゴム製の弾性ブッシュ内で取り付け板５２，５３に支承されている。軸７９の端部は、収容部７６内でボールブッシュ７７を介して、支持されており、調整ネジ７１，７２を介して取り付け板５２，５３に対してわずかに位置をずらすことができる。それによりゴム製の弾性ブッシュが歪む条件の下では、対抗印刷ローラ４７を印刷ローラ４５，４６に対して調節することができる。
【００２９】
機械壁部８７に軸受フレーム５１を固定したり、機械の壁部８７から取外したりするための固定装置８６は、ボルト８８を一つ備えており、このボルトは孔８９を経て取付け板５２，５３内に案内されており、かつ軸受フレーム５１を担持している。
【００３０】
ボルト８８の端部領域８８ａは機械壁部８７によってネジ止め可能である。
【００３１】
ボルト８８のもう一端部８８ｂには、ボルトを取外したり固定したりするのに使えるレバー９２が設けられている。
【００３２】
印刷機構２３を交換する場合、レバー９２を回すことにより、ボルト８８を機械壁部８７から取り外し、ハンドル６６で保持される印刷機構を軸方向に取去る。この際連結位置で印刷ローラ４５，４６のシャフトを、電動モータ４８あるいは４９のシャフトから取り外す。その後、印刷ローラ４５，４６が好都合に予め組み付けられていてかつ予め調節された印刷ユニット２３を、先程とは反対の方法で取り付ける。その際印刷ローラのシャフトを連結位置で電動モータのシャフトと形状一体的に連結する。
【００３３】
公知のシガレット連続体製造機の場合、連続的に運動するテープ材料２１（シガレット被覆紙テープ）は一つかあるいはそれより多くの同期して駆動される印刷ローラにより印刷される。これにより、ガーニチュアの交換の際、即ちシガレットの長さを替える際に印刷機構の交換が必要であることがわかる。特に独立した創意に富むランクが得られる本発明の構成によれば、印刷される区間の長さは、印刷ローラの回転速度が、同期状態である必要がある場合の二つの印刷動作の間で変化することにより適応する。印刷ローラを二つの同期回転の間で速く駆動する際、区間の長さを短縮し、かつ向きを逆にする。このような方法を実現するための可能な手段を、モータ４８の制御に基づき以下に模範的に説明する。
【００３４】
メイン機械制御機構２００はシガレット被覆紙テープ２１を移送するために同期する第一のクロック信号を制御部２０１に供給する。例えばこの信号は、連続体運動１ｍｍ当たり１パルスであり、かつただ周波数変化がゆっくりしている。というのもこの信号は機械のメイン駆動システムの慣性に連動しているからである。この制御部はそれ自体、二番目のクロック信号をステッピングモータとして形成されたモータ４８に供給し、このモータは二番目の信号の各タイミングパルスの来る度にステップ回転を行なう。その際、例えばモータは１０００のタイミングパルス毎に完全に1回転する。制御部２０１は公知の周波数乗算器２０４を備え、この周波数乗算器は、一番目のクロック信号に対して同期して、かつ約１０００倍の周波数を有する三番目のクロック信号を発生させる。この三番目のクロック信号は、同様に公知の計数器２０３に引渡され、この計数器が第三のクロック信号の約数と呼ばれるタイミングパルスの所定の数を記録した場合、この計数器は第二のクロック信号のタイミングパルスをその都度発生する。
【００３５】
簡単な例では、印刷ローラ４５の周囲は１３０ｍｍあり、印刷機構２３により、印刷像を１３０ｍｍの間隔をおいてテープ材料２１に塗布するのである。テープ材料を１３０mm移送している間に、メイン機械制御部２００は第一のクロック信号の１３０のタイミングパルスを制御部２０１に与え、周波数乗算器２０４はそのタイミングパルスから第三のクロック信号の１３００００のタイミングパルスを作る。計数器２０３に約数として１３０タイミングパルスを設定するので、第三のクロック信号が１３００００パルス出す場合、第二のクロック信号の１０００パルスをモータ４８に与え、したがってこれによりモータの回転が完全に行なわれる。この際印刷ローラ４５とテープ材料２１との間の同期性は常にとれている。
【００３６】
その他の例では、印刷機構２３により、印刷像を１３０ｍｍよりも短い間隔をおいてテープ材料２１に塗布する。これに対して記憶装置２０２には、図４で示すようなデジタル特性曲線３００が収納される。この際軸線３０１上には約数に関する記憶装置位置が、かつ軸線３０２上には約数に関するこの記憶装置位置に収納された値が、記録されている。第一のクロック信号のタイミングパルス毎に、記憶装置内で約数の近似値が読取られ、かつ計数器２０３に伝えられる。その際約数の値は、印刷ローラ４５上の隆起部９８がテープ材料と干渉している間は、同期経過中における値３０３、すなわち例えば１３０に相当する。テープ材料２１から隆起部９８が外れた後、約数のより低い値が計数器２０３に伝達するので、第二のクロック信号の周波数が上昇し、従ってそれと同時にモータ４８と印刷ローラ４５の回転速度が上がる。その際、約数の値は、緩やかな傾斜面の様式で低減し、モータにはわずかな加速トルクがかけられるだけである。モータ４８が約半回転した後、約数の値は再度ゆっくりと上がり、この値は隆起部９８がテープ材料と新たに干渉する前に、同期経過中の値３０３に再度達する。
【００３７】
周期（線３０４）が完了した後、モータ４８は信号を記憶部２０２に送り、その後続いて約数に関する値の読取が第一の記憶装置位置から再度行なわれる。
【００３８】
印刷標識を１３０mmよりも長い間隔をおいてテープ材料２１上に塗布するために、記憶装置２０２では約数の値に関する一方の特性曲線３１０を基本とし、この特性曲線は隆起部９８がテープ材料２１と干渉する以外では、約数に関して同期時よりも高い値を有している。このような特性曲線が図５に図示されている。図５の要素は図４の要素と一致しており、１０上がる関連数値を有している。
【００３９】
これ以上多くの印刷ローラを備えた印刷機構においては、印刷ローラの各々用に記憶部２０２を備えた制御部２０１が予め設けられていることがある。
【００４０】
図２の２００から２０４までの要素は機能要素であり、かつ自動制御かあるいは制御コンピュータのソフトウェアにおいて実現されている。
【図面の簡単な説明】
【００４１】
【図１】シガレット連続体製造機の斜めから見た概略図。
【図２】図１による製造機の印刷機構の斜視図であり、概略的な制御部を尺度を拡大して概略的に示した。
【図３】図２による印刷機構の正面図。
【図４】印刷ローラの異なる駆動に関する概略的制御特性曲線。
【図５】印刷ローラの異なる駆動に関する概略的制御特性曲線。
【符号の説明】
【００４２】
１      スルイス
２      予備分配機構
３      取出し印刷ローラ
４      予備貯蔵容器
５      急傾斜コンベヤ
６      堰止めシュート
７      スパイクド印刷ローラ
８      叩出し印刷ローラ
９      散布クロス
１１    ふるい装置
１２    スパイクド印刷ローラ
１３    壁部
１４    ホッパ
１６    たばこ移送路
１７    連続体コンベヤ
１８    負圧室
１９    トリマ
２１    シガレット被覆テープ
２２    ボビン
２３    印刷機構
２４    ガーニチュアベルト
２６    ガーニチュア
２７    タンデム継ぎ目板
２８    シガレット連続体
２９    連続体密度測定装置
３１    裁断装置
３２    二本分のシガレット
３３    アーム
３４    引渡し装置
３６    引取りドラム
３７    フィルタ装着機
３８    切断装置
３９    コンベヤベルト
４１    コンベヤベルト
４２    容器
４５    印刷ローラ
４６    印刷ローラ
４７    対抗印刷ローラ
４８    電動モ−タ
４９    電動モ−タ
５１    軸受フレーム
５２    取付け板
５３    取付け板
５４    スペーサボルト
５６    シャフト
５８    連結部
５９    連結部
６１    調整ネジ
６２    調整ネジ
６４    バネ
６６    ハンドル
７１    調整ネジ
７２    調整ネジ
７６    収容部
７７    球状ブッシュ
７９    軸
８６    固定装置
８７    機械壁部
８８    ボルト
８８ａ  端部領域
８８ｂ  端部
８９    孔
９２    レバー
９８    隆起部
２００  メイン機械制御
２０１  制御部
２０２  記憶装置
２０３  計数器
２０４  周波数乗算器
３００  特性曲線
３０１  軸線
３０２  軸線
３０３  値
３０４  線
３１０  特性曲線
３１１  軸線
３１２  軸線
３１３  値
３１４  線
【国際公開パンフレット】
2004530582.tif 000003
2004530582.tif 000004
2004530582.tif 000005
2004530582.tif 000006
2004530582.tif 000007
2004530582.tif 000008
2004530582.tif 000009
2004530582.tif 000010
2004530582.tif 000011
2004530582.tif 000012
2004530582.tif 000013
2004530582.tif 000014
2004530582.tif 000015
2004530582.tif 000016
2004530582.tif 000017
2004530582.tif 000018
2004530582.tif 000019
2004530582.tif 000020
2004530582.tif 000021
2004530582.tif 000022
2004530582.tif 000023
2004530582.tif 000024
2004530582.tif 000025
【国際公開パンフレット（コレクトバージョン）】
2004530582.tif 000026
2004530582.tif 000027
【国際調査報告】
2004530582.tif 000028
2004530582.tif 000029
2004530582.tif 000030
2004530582.tif 000031
2004530582.tif 000032
2004530582.tif 000033
2004530582.tif 000034
2004530582.tif 000035
2004530582.tif 000036
2004530582.tif 000037